Podtech/llm-jp-corpus-v4-ja_patent huggingface dataset:
【手続補正書】
【提出日】平成18年7月12日(2006.7.12)
【手続補正１】
【補正対象書類名】特許請求の範囲
【補正対象項目名】請求項７
【補正方法】変更
【補正の内容】
【請求項７】
前記受信した信号は、多値のＦＳＫ方式に従って変調された信号であって、
前記復調部は、前記受信した信号の周波数に対応する電圧の信号に変換することにより、前記受信した信号を復調するものであり、
前記シンボル判定部は、前記復調部が復調した信号の電圧を、予め設定された閾値と比較することにより、シンボル判定を行うものである、
ことを特徴とする請求項６に記載の受信装置。
【手続補正２】
【補正対象書類名】特許請求の範囲
【補正対象項目名】請求項８
【補正方法】変更
【補正の内容】
【請求項８】
前記ビット変換部が生成したビットデータは、重要度の高低が予め定められるようにビットが配列され、重要度が高いビットデータに冗長ビットが付加されたデータであって、
前記データ復元部は、前記重要度が高いビットデータに付加された冗長ビットを削除する、
ことを特徴とする請求項６又は７に記載の受信装置。
【手続補正３】
【補正対象書類名】明細書
【補正対象項目名】０００３
【補正方法】変更
【補正の内容】
【０００３】
誤り訂正技術としては、ＡＲＱ（Automatic Repeat Request）等の再送技術、ＦＥＣ（Forword Error Correction：前方向エラー訂正）の技術が知られている。ＡＲＱの技術は、受信後にエラーがあったデータを送信元に再送要求することでエラー訂正を行う（よって後方向に分類される）技術である。ＦＥＣの技術は、予め送受信データを工夫して、信頼性を有するデータを送信し、受信側でエラーを除去する技術（よって前方向）の技術である。尚、データ通信では、ＦＥＣとＡＲＱとの併用、音声や画像の同時処理が必要なものはＦＥＣのみを用いるのが一般的である。
【手続補正４】
【補正対象書類名】明細書
【補正対象項目名】０００５
【補正方法】変更
【補正の内容】
【０００５】
このため、メール等のデータ通信、音声データ又は画像データの伝送には、受信データに対して誤り訂正を行うことにより、できるだけデータの再送を行わずに、受信データを復元するＦＥＣ等の技術を用いた送受信装置が適している（例えば、特許文献１参照）。この送受信装置では、ブロック符号や畳み込み符号を用いて誤り訂正が行われる。
【特許文献１】特開２００２−３４４４１３号公報（第６頁−第８頁、図１）
【手続補正５】
【補正対象書類名】明細書
【補正対象項目名】０００８
【補正方法】変更
【補正の内容】
【０００８】
特に、音声通話のような通信では、このような不都合は、好ましくない。音声は人間の感覚としてとらえられる要素が多く、多少ノイズが入っていても、どのような言葉が発せられているかを認知できる方が重要である。つまり、ＦＥＣがより多くの誤りを発生させてしまった場合、データ補間や繰り返し、破棄（欠落）等が行われる。この処理をバッドフレームマスキング処理という。このバッドフレームマスキング処理が頻繁に起こると、通話の内容自体が聞き取れなくなる可能性が高くなる。
【手続補正６】
【補正対象書類名】明細書
【補正対象項目名】００１６
【補正方法】変更
【補正の内容】
【００１６】
前記受信した信号は、多値のＦＳＫ方式に従って変調された信号であって、
前記復調部は、前記受信した信号の周波数に対応する電圧の信号に変換することにより、前記受信した信号を復調するものであり、
前記シンボル判定部は、前記復調部が復調した信号の電圧を、予め設定された閾値と比較することにより、シンボル判定を行うものであってもよい
【手続補正７】
【補正対象書類名】明細書
【補正対象項目名】００２９
【補正方法】変更
【補正の内容】
【００２９】
例えば、音声の場合、ボコーダのデータには、音圧データ、ピッチ周波数データ等がある。ボコーダのデータが、図３に示すように、１６ビットの音圧データと、１０ビットの第１ピッチ情報と、１０ビットの第２ピッチ情報と、からなるものとする。図中、各データの最も左側のビットが最上位ビット（ＭＳＢ）であり、最も右側のビットが最下位ビット（ＬＳＢ）であることを示す。図３に示す例では、斜線で示すビットが重要度が高いビット、最上位ビットが最も重要度が高いビットとして、これらのデータのビットは、重要度に従って、配列されているものとする。尚、重要度が高いとされるビットは、ボコーダのアルゴリズムの検証、シミュレーション等で予め求められる。
【手続補正８】
【補正対象書類名】明細書
【補正対象項目名】００６０
【補正方法】変更
【補正の内容】
【００６０】
この図７に示すように、通信状態が良好な場合、特性線Ｌ１１で示すように、ビタビ復号器で復号した方が誤り訂正による効果は大きく、ＢＥＲは低い。しかし、通信状態が低下するに従って本実施形態に係る送受信装置で復号化した方が誤り訂正による効果は、ビタビ復号器で復号化した場合よりも大きくなる。
【手続補正９】
【補正対象書類名】明細書
【補正対象項目名】００６２
【補正方法】変更
【補正の内容】
【００６２】
図８に示すように、ＢＥＲが低い場合、即ち、通信状態が良好な場合には、ビタビ復号器によって復号化した方が、本実施形態の送受信装置よりも、音質は良好である。但し、この差は、わずかなものであり、実際に聞き比べても判別できない程度の差である。ＢＥＲが高い場合、即ち、通信状態が良好ではない場合、本実施形態の送受信装置によって復号化した方が、ビタビ復号器よりも、音質は良好になり、高い音質を実現できる。
【手続補正１０】
【補正対象書類名】明細書
【補正対象項目名】００６８
【補正方法】変更
【補正の内容】
【００６８】
また、本実施の形態は、ソフトウェアにより実行されることができる。この場合、送信装置１１、受信装置２１は、ソフトウェアを実行するためのプロセッサを備える。本実施の形態をソフトウェアによって実行した場合でも、ＦＥＣのような演算を行う必要がないので、プログラムは、簡易となり、プログラムに要するメモリ容量を少なくすることができる。
【誤訳訂正書】
【提出日】平成18年9月26日(2006.9.26)
【誤訳訂正１】
【訂正対象書類名】明細書
【訂正対象項目名】０００７
【訂正方法】変更
【訂正の内容】
【０００７】
冷却ダクトを通して送られる冷却剤が使用されるとき、該冷却剤が循環するような実施例が好ましい。このことにより、冷却剤の損失を阻止できる。回路を形成するために、ベース内に形成されたダクトが供給導管及び排出導管を介して冷却剤供給システムに接続されることを提案する。冷却剤は、防護ガス、水、及び／又は空気とすることができる。特に、いずれにしても冷却工程中に要求されるものであるから、防護ガスを冷却剤として使用することが適切である。
本発明によるタック溶接ガン用のタックグリッパが、タックグリッパによって把持可能な少なくとも一組の把持表面を備える加工片に使用されることが、好ましく、少なくとも一つの把持表面が、アーム内の穴に少なくとも部分的に嵌合する少なくとも一つのキャッチノブとともに設計される。これにより、加工片の確かな保持、及び加工片とタックグリッパとの間の非常に良好な電気的接触を生じることになる。キャッチノブの高さは、0.3mm 乃至0.5mm が好ましい。該高さは、穴内でしっかりした保持を保証するのに適切な高さである。しかし、キャッチノブは、あまり著しく型押しされないので、加工片の塗装の後に殆ど見えなくなる。
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
第１及び第２の入口を含む少なくとも２つの入口と、第１及び第２の出口を含む少なくとも２つの出口と、上記入口の各々に接続された入口側の分岐と上記出口の各々に接続された出口側の分岐と上記入口側の分岐と上記出口側の分岐とを接続する主流路とを有する流路と、上記主流路に沿って配置された圧電デバイスと、を有する血液分離装置。
【請求項２】
上記第１の入口から導入した血球を含むサンプル液が上記第１の出口より排出され、上記第２の入口から導入したシース液が上記第２の出口より排出されるように、上記サンプル液と上記シース液の層流を上記主流路に生成するとき、上記圧電デバイスによって生成された音波の放射圧によって上記主流路を流れるサンプル液中の血球を上記シース液に移動させ上記第２の出口より取り出すことができるように構成されていることを特徴とする請求項１記載の血液分離装置。
【請求項３】
上記圧電デバイスは上記主流路の両側に設けられていることを特徴とする請求項１記載の血球分離装置。
【請求項４】
上記圧電デバイスの各々は、圧電板とその両側に配置された電極を有し、該電極は、血球を検出するために比較的弱い音波を生成又は受信する検出用電極と血球を移動させるために比較的強い音波を生成する分離用電極とを含むことを特徴とする請求項３記載の血球分離装置。
【請求項５】
上記圧電デバイスの一方は、圧電板とその両側に配置された電極を有し、該電極は、血球を検出するために比較的弱い音波を生成又は受信する検出用電極と血球を移動させるために比較的強い音波を生成する分離用電極とを有し、上記圧電デバイスの他方は血球を検出するために比較的弱い音波を生成又は受信する検出用電極を有することを特徴とする請求項３記載の血球分離装置。
【請求項６】
上記電極は上記圧電板に装着された金属薄膜のパターンとして形成されていることを特徴とする請求項４又は５記載の血球分離装置。
【請求項７】
上記圧電デバイスは、上記主流路の一方の側に設けられていることを特徴とする請求項１記載の血球分離装置。
【請求項８】
内径が大きい収容部と内径が小さい通路部とを有し入口と出口を接続する流路と、上記収容部と上記通路部の境界部に形成された段差に隣接して上記収容部に設けられた圧電デバイスと、を有する血液分離装置。
【請求項９】
上記入口から導入した血球を含むサンプル液を上記出口より排出させるとき、上記圧電デバイスによって生成された音波の放射圧によって上記収容部を流れるサンプル液中の血球を上記収容部の一方側に移動させ上記通路部には血球が除去された上記サンプル液が流れ、それを出口より取り出すことができるように構成されていることを特徴とする請求項８記載の血液分離装置。
【請求項１０】
圧電材料からなる板状部材と該板状部材の両面に配置された電極とを有する振動板と、該振動板を支持するホルダと、上記電極の表面に装着された特定の物質と結合するリンカーと、を有し、上記振動板の固有周波数の変化量を検出することにより、上記リンカーと結合した物質の質量を検出するように構成されている質量検出装置。
【請求項１１】
上記振動板は上記電極を囲むように溝が設けられていることを特徴とする請求項１０記載の質量検出装置。
【請求項１２】
上記電極は上記圧電板に装着された金属薄膜のパターンとして形成されていることを特徴とする請求項１０記載の質量検出装置。
【請求項１３】
流路と、上記流路の一端に設けられた入口と、上記流路の他端に設けられた出口と、上記流路に沿って設けられ圧電板とその両面に配置された電極とを有する圧電デバイスと、上記電極の表面に装着され特定の物質と結合するリンカーと、を有し、上記圧電板の固有周波数の変化量を検出することにより、上記リンカーと結合した物質の質量を検出するように構成されている質量検出装置。
【請求項１４】
上記圧電デバイスと同一の且つリンカーを装着しない第２の圧電デバイスを更に設け、上記リンカーを装着した第１の圧電デバイスによって検出された出力より上記第２の圧電デバイスによって検出された出力を減算することにより、上記リンカーと結合した物質の質量を検出するように構成されている請求項１３記載の質量検出装置。
【請求項１５】
上記固有周波数の変化量を検出することにより、上記リンカーと結合した物質の質量を検出するための検出回路を設け、該検出回路は上記圧電デバイスに接続された第１及び第２のスイッチと、上記第１のスイッチに接続された直流電源と、上記第２のスイッチに接続された抵抗と、を有し、上記第１及び第２のスイッチを交互にオンにすることにより上記圧電デバイスに印加された電圧に自励振動を起こさせるように構成されていることを特徴とする請求項１３記載の質量検出装置。
【請求項１６】
流路と、上記流路の一端に設けられた入口と、上記流路の他端に設けられた出口と、を有し、上記入口から導入された血球を含むサンプル液を処理して上記出口より排出するサンプ分析装置において、上記流路は、圧電デバイスによって生成された音波の放射圧によってサンプル液より血球を分離するセパレータ部と、圧電デバイスによって生成された振動の周波数の変化によってリンカーに結合した物質の質量を検出するための質量検出部と、圧電デバイスによって生成された振動又は音波の放射圧によってサンプル液を移送する送液部と、を有することを特徴とするサンプル分析装置。
【請求項１７】
抗体成分を含むサンプル液を収容する容器と、該容器に壁に沿って設けられ上記サンプル液を撹拌するための撹拌用圧電デバイスと上記抗体成分の濃度を測定するための検出用圧電デバイスと、を有する免疫分析装置。
【請求項１８】
上記検出用圧電デバイスは圧電材料からなる圧電板と該圧電板の両面に配置された電極を有し、該電極の一方の電極は上記容器の内面に配置され且つその表面には特定の抗体成分と結合するリンカーが装着されていることを特徴とする請求項１７記載の免疫分析装置。
【請求項１９】
上記リンカーは複数の種類の抗体成分をそれぞれ結合する複数の種類のリンカーを有することを特徴とする請求項１８記載の免疫分析装置。
【請求項２０】
入口と出口を接続する流路と、該流路の内壁に設けられた凹部と、該凹部内に設けられた端子と、上記凹部に沿って設けられた圧電デバイスと、を有し、上記流路を流れる流体によって搬送された微小粒子が上記凹部上に到達したとき上記圧電デバイスによって生成された音波による放射圧によって上記微小粒子を上記凹部内に移動させ、それにより上記微小粒子を上記端子に接触させ、該端子と上記流体の間の電圧を計測し、計測が終了すると上記圧電デバイスによって生成された音波による放射圧によって上記微小粒子を上記凹部内より排出させ、上記流路を流れる流体によって搬送するように構成された計測装置。
【手続補正書】
【提出日】平成18年7月26日(2006.7.26)
【手続補正１】
【補正対象書類名】特許請求の範囲
【補正対象項目名】請求項２
【補正方法】変更
【補正の内容】
【請求項２】
ある量の実質的に均一な連行、霧化された液体エアロゾルを受けて蓄積し、患者の呼吸に応じて前記非再呼吸マスクに排出するアキュムレータ手段をさらに含む請求項１に記載のネブライザ呼吸装置。
【手続補正２】
【補正対象書類名】特許請求の範囲
【補正対象項目名】請求項１０
【補正方法】変更
【補正の内容】
【請求項１０】
前記補助ガス入口ポートおよび前記排出出口は互いに対向する位置にあり、また、前記第１の室の中に担持された前記霧化室は、前記補助ガス入口ポートと前記排出出口との間に延びている請求項３に記載のネブライザ呼吸装置。
【手続補正３】
【補正対象書類名】特許請求の範囲
【補正対象項目名】請求項１１
【補正方法】変更
【補正の内容】
【請求項１１】
前記排出出口を介して投与されるべき液体薬剤を収容するレセプタクルを更に含む請求項３に記載のネブライザ呼吸装置。
【手続補正４】
【補正対象書類名】特許請求の範囲
【補正対象項目名】請求項１６
【補正方法】変更
【補正の内容】
【請求項１６】
前記第１の室への霧化ガス流を接続する前記手段が、駆動ガス源を前記霧化ノズルに取り外し可能に接続するアダプタを備える請求項３に記載のネブライザ呼吸装置。
【手続補正書】
【提出日】平成17年12月6日(2005.12.6)
【手続補正１】
【補正対象書類名】明細書
【補正対象項目名】００７９
【補正方法】変更
【補正の内容】
【００７９】
〔脱酸素シートの脱酸素性能の測定〕
実施例１、３、比較例１〜３においては、得られた脱酸素シートを、酸素透過性を有する被覆層で被覆しない状態で空気容積５．５リットルのデシケータ中に設置し、該デシケータ中の酸素濃度を測定して脱酸素性能を調べた。また、実施例２および比較例４においては、得られた脱酸素シートを、酸素透過性を有する被覆層で被覆しない状態で前記デシケータ中に水１００ｇとともに設置し、該デシケータ中の酸素濃度を測定して調べた。市販品の脱酸素剤においても、被覆層から中身だけを取り出した状態で測定して脱酸素性能を調べた。実施例１及び比較例３の結果を図１に示す。
【手続補正２】
【補正対象書類名】明細書
【補正対象項目名】００８２
【補正方法】変更
【補正の内容】
【００８２】
【図１】本発明の実施例１及び比較例３の脱酸素シートの脱酸素性能を示す図である。
【手続補正３】
【補正対象書類名】図面
【補正対象項目名】図１
【補正方法】変更
【補正の内容】
【図１】
2005319391.tif 000001
【手続補正書】
【提出日】平成17年12月14日(2005.12.14)
【手続補正１】
【補正対象書類名】明細書
【補正対象項目名】００６７
【補正方法】変更
【補正の内容】
【００６７】
ピラー２１は、略逆Ｖ字筒状（エルボ形状）に形成され、その長手方向の途中に屈曲した屈曲管部２０、長手方向における屈曲管部２０の両側にまっすぐな直管部２２、２３を一体的に備えている。なお、一方の直管部２２の屈曲管部２０側と反対側一端部には、発泡充填部材１を受け入れる開口２６が形成されている。
【手続補正２】
【補正対象書類名】明細書
【補正対象項目名】００６８
【補正方法】変更
【補正の内容】
【００６８】
そして、発泡充填部材１をピラー２１内に設置するには、発泡充填部材１の第２直線部１６の遊端部側である、発泡基材２の他方側短側面１２を、ピラー２１の開口２６から、その一方の直管部２２の内部空間２４内に導入し、第２直線部１６を、屈曲管部２０に沿って屈曲させながら、他方の直管部２３の内部空間２４まで挿入する。これにより、図５に示すように、他方の直管部２３の内部空間２４内に、第２直線部１６が配置され、屈曲管部２０の内部空間２４内に、第１屈曲部１７が配置され、さらに、一方の直管部２２の内部空間２４内に、第１直線部１５が配置される。
【手続補正３】
【補正対象書類名】明細書
【補正対象項目名】００７３
【補正方法】変更
【補正の内容】
【００７３】
また、発泡充填部材１は、発泡基材２の他方側短側面１２を、ピラー２１の開口２６から、その一方の直管部２２の内部空間２４内に導入し、第２直線部１６を、屈曲管部２０に沿って屈曲させながら、他方の直管部２３の内部空間２４まで挿入することにより、発泡基材２の切り込み部４、５、６、７および切断部９、１０に沿う折り曲げ部分や、その発泡基材２の外周縁部が、ピラー２１の内部空間２４を画成する内周壁面と点接触または線接触した状態で、その内部空間２４内に配置される。
【手続補正４】
【補正対象書類名】明細書
【補正対象項目名】００８３
【補正方法】変更
【補正の内容】
【００８３】
切り込み部３５は、第１部材２９の一方側表面３４において、一方側短側面３１から、第１部材２９の長手方向に沿って、第１部材２９の長手方向途中一方側に形成される一方側短側面３１側から１本目の切断部４１、４２まで到達するように、直線状に複数（４本）形成されている。各切り込み部３５は、第１部材２９の長手方向の直交方向である幅方向において、互いに所定間隔を隔てて平行状に形成されている。また、４本の切り込み部３５は、第１部材２９の幅方向において、第１部材２９を５等分するように、互いに等間隔で形成されている。なお、切り込み部３５の切り込む深さ、切り込む幅は、上記した切り込み部４と同様である。
【手続補正５】
【補正対象書類名】明細書
【補正対象項目名】００９５
【補正方法】変更
【補正の内容】
【００９５】
切り込み部４５は、第２部材３０の一方側表面４３において、第２部材３０の長手方向に沿って、第２部材３０の長手方向途中一方側に形成される一方側短側面３２側から２本目の切断部５２、５３から、第２部材３０の長手方向途中他方側に形成される一方側短側面３２側から３本目の切断部５２、５３まで到達するように、直線状に複数（４本）形成されている。各切り込み部４５は、第２部材３０の幅方向において、互いに所定間隔を隔てて平行状に形成されている。また、４本の切り込み部４５は、第２部材３０の幅方向において、第２部材３０を５等分するように、互いに等間隔で形成されている。なお、切り込み部４５の切り込む深さ、切り込む幅は、切り込み部４と同様である。
【手続補正６】
【補正対象書類名】明細書
【補正対象項目名】００９６
【補正方法】変更
【補正の内容】
【００９６】
切り込み部４６は、第２部材３０の一方側表面４３において、長手方向他方側側面である他方側短側面５７から、第２部材３０の長手方向に沿って、第２部材３０の長手方向途中他方端側に形成される一方側短側面３２側から４本目の切断部５２、５３まで到達するように、直線状に複数（４本）形成されている。各切り込み部４６は、第２部材３０の幅方向において、互いに所定間隔を隔てて平行状に形成されている。また、４本の切り込み部４６は、第２部材３０の幅方向において、第２部材３０を５等分するように、互いに等間隔で形成されている。なお、切り込み部４６の切り込む深さ、切り込む幅は、切り込み部４と同様である。
【手続補正７】
【補正対象書類名】明細書
【補正対象項目名】００９９
【補正方法】変更
【補正の内容】
【００９９】
切り込み部４７、４８、４９、５０は、互いに一直線上に対向配置された各切断部５２、５３間を繋ぐように、幅方向に沿って直線状に、それぞれ形成されている。なお、切り込み部４７、４８、４９、５０の切り込む深さ、切り込む幅は、切り込み部４と同様である。
【手続補正８】
【補正対象書類名】明細書
【補正対象項目名】０１３０
【補正方法】変更
【補正の内容】
【０１３０】
発泡基材８５は、上記と同様に、加熱（例えば、１２０〜２１０℃前後）により発泡する発泡材料により形成されている。この発泡基材８５は、平面視矩形状に形成され、その長手方向途中に形成される挿通部９０と、挿通部９０に対して長手方向一方側に形成される第１空間充填部９２と、挿通部９０に対して長手方向他方側に形成される第２空間充填部９４とを、一体的に備えている。
【手続補正９】
【補正対象書類名】明細書
【補正対象項目名】０１３７
【補正方法】変更
【補正の内容】
【０１３７】
なお、図１１では、切り込み部９６を、一方側短側面９５の近傍の領域において６本、長手方向略中央の領域において７本形成し、また、切り込み部９８を、他方側短側面９７の近傍の領域において５本、挿通部９０近傍の領域において６本形成しているが、実際の本数は、これに制限されない。
【手続補正１０】
【補正対象書類名】明細書
【補正対象項目名】０１３８
【補正方法】変更
【補正の内容】
【０１３８】
そして、発泡基材８５は、上記と同様に、シート状に連続形成し、次いで、その長手方向において第１空間充填部９２、挿通部９０および第２空間充填部９４を有する略矩形状をなし、その一方側表面９１に、切り込み部９６が形成され、他方側表面９３に、切り込み部９８が形成されるように、打ち抜くことによって、得ることができる。
【手続補正１１】
【補正対象書類名】明細書
【補正対象項目名】０１３９
【補正方法】変更
【補正の内容】
【０１３９】
このようにして得られる発泡基材８５は、各切り込み部９６を、各切り込み部９６の切り込み方向に沿って、その切り込み方向と直交方向に、一方側表面９１を屈曲方向外方、他方側表面９３を屈曲方向内方として、屈折させ、かつ、各切り込み部９８を、各切り込み部９８の切り込み方向に沿って、その切り込み方向と直交方向に、他方側表面９３を屈曲方向外方、一方側表面９１を屈曲方向内方として、屈折させることにより、図１２に示す断面略８字状に形成される。
【手続補正書】
【提出日】平成17年10月17日(2005.10.17)
【手続補正１】
【補正対象書類名】明細書
【補正対象項目名】００２２
【補正方法】変更
【補正の内容】
【００２２】
図（4）に示すようにパッケージは本体部分（A）と本体保護部分（B）から成り、本体と本体保護部分にはミシン目（s）が設けられている。本体保護部分（B）の表面（t）は郵送時の宛名面となり、裏面（u）はメッセージ面やPR面として利用できる。本体保護部分（B）は配達後にミシン目（s）から切り離すことができる。
【手続補正２】
【補正対象書類名】明細書
【補正対象項目名】００２４
【補正方法】変更
【補正の内容】
【００２４】
これによって通常、郵送時だけに利用される本体の保護部分を宛名面やメッセージ面として有効に活用でき、見おえた後は置いたり、壁掛け用ホール（v）を使って壁にかけたりして飾り物にもなるので、卓上カレンダーや写真スタンドとして利用したり、ダイレクトメールなどのようにすぐに廃棄されたり、仕舞いこまれることが多いものを長期間、目にふれさせることができる。
【手続補正３】
【補正対象書類名】明細書
【補正対象項目名】００３１
【補正方法】変更
【補正の内容】
【００３１】
（a）.  パッケージ内部本体
（b）.  パッケージ内部本体  
（c）.  巻き物 
（d）.  軸
（e）.  軸
（f）.  つまみ
（g）. つまみ
（h）.  パッケージ外部
（i）.  保護用フィルム
（j）.  保護用フィルム
（k）.  オブジェ
（l）.  オブジェ固定棒
（m）. ズレ防止ストッパー
（n）.  ズレ防止ストッパー
（o）.  ズレ防止ストッパー
（p）.  ズレ防止ストッパー  
（q）.  空回り防止ストッパー 
（r）.  空回り防止ストッパー
（s）.  切り取り用ミシン目
（t）.  宛名面
（u）.  メッセージ面
（v）.  壁掛け用ホール
（A）.  パッケージ本体部分
（B）.  パッケージ本体保護部分
【手続補正４】
【補正対象書類名】図面
【補正対象項目名】図２
【補正方法】変更
【補正の内容】
【図２】
2005319741.tif 000001
【手続補正５】
【補正対象書類名】図面
【補正対象項目名】図３
【補正方法】変更
【補正の内容】
【図３】
2005319741.tif 000002
【手続補正６】
【補正対象書類名】図面
【補正対象項目名】図４
【補正方法】変更
【補正の内容】
【図４】
2005319741.tif 000003
【手続補正７】
【補正対象書類名】図面
【補正対象項目名】図５
【補正方法】変更
【補正の内容】
【図５】
2005319741.tif 000004
【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】
コンピュータ等のためのハンドヘルドポインティングデバイスであって、
テーパ状の端部を有する全体的に円筒形の本体であって、前記テーパ状の端部が先端部を有する、本体と、
前記本体の内側に配置され、前記本体の半透明部分を通過する光を生成し、作業面を照明する照明源と、
前記本体の内側に前記本体の半透明部分の近くに取り付けられた光学動作検出回路であって、前記本体の半透明部分を通して見える照明されたイメージとして取得された特徴に関する第１の軸方向及び第２の軸方向における動きを示す動作表示信号を生成する、光学動作検出回路とを含み、
前記光学動作検出回路は、出力をそれぞれ有する複数の光検出器と、ディジタル化された光検出器出力値の参照用フレーム及び該参照用フレームに続いて取得されたディジタル化された光検出器出力値のサンプル用フレームを有するメモリとを有し、前記参照用フレームをシフトさせたものである複数の比較用フレームと前記サンプル用フレームとの相関をとって、前記第1の軸方向及び前記第２の軸方向における動きが判定される、ハンドヘルドポインティングデバイス。
【請求項２】
既存の参照用フレームが、比較用フレームとの間の１つ前の相関に対応する量だけシフトされる、請求項１に記載のハンドヘルドポインティングデバイス。
【請求項３】
既存のサンプル用フレームが、新たな参照用フレームとして周期的に取得される、請求項１に記載のハンドヘルドポインティングデバイス。
【請求項４】
前記第１の軸方向及び前記第２の軸方向における動きを示す情報を伝送するための通信リンクを更に含む、請求項１に記載のハンドヘルドポインティングデバイス。
【請求項５】
前記通信リンクは無線周波数による通信リンクである、請求項４に記載のハンドヘルドポインティングデバイス。
【請求項６】
前記通信リンクは赤外線による通信リンクである、請求項４に記載のハンドヘルドポインティングデバイス。
【請求項７】
前記通信リンクに接続されたボタンを更に含み、前記通信リンクは前記ボタンの状態を示す情報を伝送する、請求項４に記載のハンドヘルドポインティングデバイス。
【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】
コンピュータシステムのスクリーンポインタの位置を制御する装置であって、
一端に画像取込面を備え、該画像取込面に対して人間の指先の部分が配置され、光が入射する他端を更に備え、その光が前記人間の指先の部分によりその部分の画像として反射され、入射した方向とは概ね反対の方向に出射するように構成された、ロッドレンズと、
前記ロッドレンズの他端に近接して配置され、前記ロッドレンズの他端に入射する光を放射し、前記画像取込面に対して配置された前記指先の部分の全体を照らすように構成された、光源と、
前記ロッドレンズの他端に近接して配置され、反射された前記画像を受け取り、その画像の一部から、参照アレイと、最近傍アレイである前記照アレイをシフトさせたものとを含む画素表現を作成し、各アレイはメモリに記憶された複数ビットのデジタル値を含み、参照アレイ及び最近傍隣接アレイと、新たに取得したサンプルアレイとの間の相関をとることにより、前記画像取込面における直交する２つの軸方向における前記指先の動きを示す信号を生成するように構成された、動き変換器と
からなる装置。
【請求項２】
前記ロッドレンズはキーボードのキーの間に人差し指に近接した位置に配置され、前記画像取込面が、前記キーの上端よりも僅かに上にくるように配置される、請求項１に記載の装置。
【請求項３】
前記ロッドレンズの前記画像取込面はキーボードの受け座の孔を通して延び、人差し指がキーボードのホームキーの上に置かれているときに、前記キーボードの中央正面位置にある前記孔は人の親指によって覆われる、請求項１に記載の装置。
【請求項４】
スペースキーが標準キーのおよそ２個から３個分の長さであり、その直ぐ両脇に、押されたときにマウスのボタンのボタンが押されたように動作する追加のキーを有する、キーボードを更に含む、請求項１に記載の装置。
【請求項５】
コンピュータシステムのスクリーンポインタの位置を制御する方法であって、
ロッドレンズの一端にある画像取込面に対して人の手の付属肢の部分を配置するステップと、
前記ロッドレンズの他端に光を導き、前記画像取込面に対して配置された付属肢の部分の全体を照明するステップと、
前記付属肢の部分から反射された画像を前記ロッドレンズの他端に近接する光検出器のアレイに集束させるステップと、
前記光検出器の出力値を複数のビットにデジタル化し、該複数のデジタル生成物を参照アレイとしてメモリに記憶するステップと、
前記参照アレイを記憶した後、前記光検出器の出力値を複数のビットにデジタル化し、該複数ビットのデジタル生成物をサンプルアレイとしてメモリに記憶するステップと、
前記サンプルアレイと前記参照アレイと間の相関を求め、更に、前記サンプルアレイと前記参照アレイを最近傍シフトさせたものとの相関を求め、前記画像取込面上における前記付属肢の直交する方向における動きを示す動き信号を生成するステップと、
前記動き信号に従って前記スクリーンポインタの位置を調整するステップと
からなる方法。
【請求項６】
前記相関アレイにより、前記画像中の空間的特徴のサイズよりも小さい動きの大きさを補間することができる、請求項１に記載の装置。
【請求項７】
コンピュータシステムのスクリーンポインタの位置を制御する装置であって、
一端に画像取込面を備え、該画像取込面に対して人間の指先の部分が配置され、光が入射する他端を更に備え、その光が前記人間の指先の部分によりその部分の画像として反射され、入射した方向とは概ね反対の方向に出射するように構成されたロッドレンズであって、キーボードのキー間に人差し指に近接した位置に配置され、前記画像取込面が、前記キーの上端よりも僅かに上にくるように配置される、ロッドレンズと、
前記ロッドレンズの他端に近接して配置され、前記ロッドレンズの他端に入射する光を放射する光源と、
前記ロッドレンズの他端に近接して配置され、指先で反射され、前記ロッドレンズの他端から出射する光を受け取り、前記画像取込面における直交する２つの軸方向における前記指先の動きを示す信号を生成する、動き変換器と、
からなる装置。
【請求項８】
コンピュータのスクリーンポインタの位置を制御する装置であって、
一端に画像取込面を備え、該画像取込面に対して人間の指先の部分が配置され、光が入射する他端を更に備え、その光が前記人間の指先の部分によりその部分の画像として反射され、入射した方向とは概ね反対の方向に出射するように構成されたロッドレンズであって、前記ロッドレンズの前記画像取込面がキーボードの受け座の孔を通して延び、人差し指がキーボードのホームキーの上に置かれているときに、前記キーボードの中央正面位置にある前記が人の親指によって覆われる、ロッドレンズと、
前記ロッドレンズの他端に近接して配置され、前記ロッドレンズの他端に入射する光を放射する光源と、
前記ロッドレンズの他端に近接して配置され、指先で反射され、前記ロッドレンズの他端から出射する光を受け取り、前記画像取込面における直交する２つの軸方向における前記指先の動きを示す信号を生成する、動き変換器と、
からなる装置。
【請求項９】
コンピュータシステムのスクリーンポインタの位置を制御する装置であって、
一端に画像取込面を備え、該画像取込面に対して人間の指先が配置され、光が入射する他端を更に備え、その光が前記人間の指先によりその部分の画像として反射され、入射した方向とは概ね反対の方向に出射するように構成された、ロッドレンズと、
前記ロッドレンズの他端に近接して配置され、前記ロッドレンズの他端に入射する光を放射する光源と、
前記ロッドレンズの他端に近接して配置され、指先で反射され、前記ロッドレンズの他端から出射する光を受け取り、前記画像取込面における直交する２つの軸方向における前記指先の動きを示す信号を生成する、動き変換器と、
スペースキーが標準キーのおよそ２個から３個分の長さであり、その直ぐ両脇に、押されたときにマウスのボタンのボタンが押されたように動作する追加のキーを有する、キーボードと
からなる装置。
【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】
ハンドヘルド・ポインティングおよび走査デバイスにおいて、
イメージング可能な形状特徴を有する作業面に対して移動する平らな底部表面を有するハウジングであって、前記ハウジングは、また、人の手を受け入れるように形成された上部表面を有し、手の付け根が前記上部表面上に静止するところから、中指が前記上部表面上に静止するところまでの方向に全体的に延びる第１の軸と、該第１の軸に直角な第２の軸とを有し、両方の前記軸が前記底部表面と平行である、ハウジングと、
前記底部表面の第１の開口と、
前記第１の開口と位置合わせされて、前記第１の開口を通して観察可能な前記作業面上にあるイメージング可能な形状特徴から第１の増分変位信号を生成する第１のナビゲーション・センサであって、前記第１の増分変位信号は、前記第１の軸および第２の軸に沿った方向の第１の運動を示し、かつ、前記第１の開口を通して観察できる前記イメージング可能な形状特徴に関連することからなる、第１のナビゲーション・センサと、
前記底部表面の第２の開口と、
前記第２の開口と位置合わせされ、前記第２の開口を通して観察可能な前記作業面上にあるイメージング可能な形状特徴から第２の増分変位信号を生成する第２のナビゲーション・センサであって、前記第２の増分変位信号は、前記第１の軸および第２の軸に沿った方向の第２の運動を示し、かつ、前記第２の開口を通して観察できる前記イメージング可能な形状特徴に関連することからなる、第２のナビゲーション・センサと、
前記底部表面の第３の開口と、
前記第３の開口と位置合わせされ、選択された時間中にイメージ・データを生成するイメージ・センサと、
前記第１および第２の増分変位信号と、前記イメージ・データとに結合され、前記選択された時間中にそれらのデータのフォーマットされたものをコンピュータに送信し、他の時間中に前記第１の増分変位信号のデータを送信するフォーマット機構
とを備える、ハンドヘルド・ポインティングおよび走査デバイス。
【請求項２】
人の手の指によって作動可能なスイッチをさらに有し、前記選択された時間が前記スイッチの位置によって規定される、請求項１のハンドヘルド・ポインティングおよび走査デバイス。
【請求項３】
前記イメージ・センサは、接触イメージ・センサである、請求項１のハンドヘルド・ポインティングおよび走査デバイス。
【請求項４】
前記第１の増分変位信号は、前記イメージ・データの生成開始のときに生成され、前記第２の増分変位信号は、前記イメージ・データの生成終了のときに生成される、請求項１のハンドヘルド・ポインティングおよび走査デバイス。
【請求項５】
前記イメージ・センサは、カラー・イメージ・センサである、請求項１のハンドヘルド・ポインティングおよび走査デバイス。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  少なくとも１つの電気的連結パターンと低誘電定数の少なくとも１つの平坦な誘電層とを有する半導体回路チップと、
異なる機械歪みレベルの領域に配置される誘電性材料の前記少なくとも１つの層と、
第１の複数の金属接触パッドを更に有する前記少なくとも１つの連結パターンと、
第２の複数の金属接触パッドを有する電気的に絶縁している基板と、
前記第１の複数の接触パッドを前記第２の複数の接触パッドに連結し、前記チップがギャップによって間隔を置いて基板に取り付けられると共に低レベルの機械歪みだけが発生する多数の半田ボールと、
前記ギャップを充填する重合体の被覆材料とを含み、
全ての前記機械歪みレベルが前記半導体部品の動作に安全な値まで減少されることを特徴とする半導体部品。
【請求項２】  集積回路を有する半導体回路チップを提供し、
前記チップが低誘電定数の絶縁材料の少なくとも１つの層をも有し、前記少なくとも１つの誘電層が異なる機械歪みレベルの領域に配置され、
第１の複数の金属接触パッドを前記チップに提供し、
電気的に絶縁している基板を提供し、
前記基板が第２の複数の金属接触パッドを有し、
第１の複数の各接触パッドに１つの半田ボールを取り付けると共に前記第２の複数のそれぞれの接触パッドに組立てたボールを整列し、
前記半導体チップ及び前記基板に熱エネルギを提供し、半田が半田接合部を形成するためにリフローされると共に前記チップがギャップにより間隔を置いて前記基板に取り付けられ、部品を形成し、
リフロー温度から室温よりまだ高い温度まで前記部品を冷却すると共に実質的に一定レベルの前記高い温度に維持し、前記少なくとも１つの誘電層及び前記半田接合部の前記機械歪みが前記半導体部品の動作に安全な低い値に維持され、
前記高い温度で重合体の先駆物質を前記ギャップに充填し、
前記重合体の先駆物質を硬化するため更なる熱エネルギを提供し、重合体の被覆材料が形成され、完成した部品を特定の割合で室温まで冷却することを含み、
前記機械歪みレベルが前記半導体部品の動作に安全な低い値のままであることを特徴とする半導体部品の製作方法。
【手続補正書】
【提出日】平成18年3月22日(2006.3.22)
【手続補正１】
【補正対象書類名】明細書
【補正対象項目名】００２４
【補正方法】変更
【補正の内容】
【００２４】
日常業務メニュー１１の「患者データ登録」キー１１ａをクリックすると、図２に示す患者データ登録画面１２が表示される（図２では、各データが入力されているが、初めて登録する場合は各欄はブランクになっている。）。各欄には、該当するデータを入力する。患者データが既に登録されている場合、画面の「参照」キー１２ａをクリックすればよい。これにより、図６に示す登録患者一覧表１３が表示される。そこで、この一覧表１３に表示された患者名をクリックすると、所望の患者データを読み込むことが可能である。登録患者一覧表１３では、患者名が患者ＩＤの降順にソートされて表示されている。したがって、目的とする患者を楽に検索できる。ここで、目的の患者を選択すると、図２に示すように、患者データ登録画面１２に選択された患者の各データが表示される。誤って違う患者を選択した場合、「終了」キー１２ｂをクリックすればよい。これにより、データの入力されていない元の患者データ登録画面１２に切り替わる。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】
光信号を電流に変換するための光変換器と、第１の垂直トランジスタとを含む光検出器であって、前記第１の垂直トランジスタは半導体基板における第１の井戸を含み、前記第１の井戸は第１の拡散領域を有し、前記半導体基板及び前記第１の拡散領域に第１のタイプのドーピングが施され、前記第１の井戸に第２のタイプのドーピングが施され、前記第１のタイプのドーピングはＰタイプ及びＮタイプのうちのいずれか一方であり、前記第２のタイプのドーピングは前記Ｐタイプ及びＮタイプのうちの他方であり、前記光変換器が前記第１の井戸に接続され、前記第１の垂直トランジスタに順バイアスを加えるように構成される、光検出器。
【請求項２】
前記光変換器は、前記半導体基板における前記第２のタイプのドーピングの拡散領域からなるフォトダイオードを含む、請求項１に記載の光検出器。
【請求項３】
第２の垂直トランジスタを更に含み、前記第２の垂直トランジスタは前記半導体基板における第２の井戸を含み、前記第２の井戸は第２の拡散領域を有し、前記半導体基板及び前記第２の拡散領域に前記第１のタイプのドーピングが施され、前記第２の井戸に前記第２のタイプのドーピングが施され、前記第１の垂直トランジスタと前記第２の垂直トランジスタがダーリントン対として接続される、請求項１に記載の光検出器。
【請求項４】
前記第２の拡散領域に接続され、前記第２の拡散領域を流れる電流を電圧に変換する電流電圧変換器を更に含む、請求項３に記載の光検出器。
【手続補正書】
【提出日】平成18年2月14日(2006.2.14)
【手続補正１】
【補正対象書類名】明細書
【補正対象項目名】特許請求の範囲
【補正方法】変更
【補正の内容】
【特許請求の範囲】
【請求項１】  半導体集積回路であり、前記集積回路がトレンチキャパシタを有し、前記トレンチキャパシタがエピタキシャル層を有し、前記エピタキシャル層が酸化物カラーの下方にトレンチ側面の下部を裏打ちし、酸化物カラーがトレンチの上部を裏打ちすることを特徴とする、半導体集積回路。
【手続補正書】
【提出日】平成18年1月23日(2006.1.23)
【手続補正１】
【補正対象書類名】明細書
【補正対象項目名】００１３
【補正方法】変更
【補正の内容】
【００１３】
そして、第１無段変速機構６の第１入力ディスク１０ａと主軸４との間には、ローディングカム装置２４が配置されている。このローディングカム装置２４は、入力軸２に結合されて一体に回転するカムフランジ２２と、このカムフランジ２２と第１入力ディスク１０ａとの間に保持器２３により転動自在に保持された複数個のローラ２５とから構成され、入力軸２のトルクがローディングカム装置２４を介して第１入力ディスク１０ａに入力するようになっている。
【手続補正２】
【補正対象書類名】明細書
【補正対象項目名】００１４
【補正方法】変更
【補正の内容】
【００１４】
一方，第１，第２出力ディスク１２ａ，１２ｂは出力ギヤ１８に連結されているので、第１，第２出力ディスク１２ａ，１２ｂに伝達されたトルクは、出力ギヤ１８に集合され、この出力ギヤ１８に噛み合っているドライブギヤ２６を介して出力軸２８に伝達される。
【手続補正３】
【補正対象書類名】明細書
【補正対象項目名】００２１
【補正方法】変更
【補正の内容】
【００２１】
また、第１ローラ支持部材４０の回転軸部６２ｂを上下方向に移動可能に支持するニードル軸受６４ｂは連結部材６０によって支持されており、この連結部材６０は、バルブボディ５６に固着されたリンクポスト（第１リンクポスト）６５に連結されている。なお、第１ローラ支持部材４０は、回転軸部６２ｂと同心に設けられた延長軸部６３を有しており、延長軸部６３は回転軸部６２ｂと一体に回転するように構成されており、延長軸部６３の外周にピストン６６が設けられており、ピストン６６の上下に油室６８ａ，６８ｂが形成されており、これに作用する油圧によりピストン６６が上下動する。
【手続補正４】
【補正対象書類名】図面
【補正対象項目名】図１
【補正方法】変更
【補正の内容】
【図１】
2002295619.tif 000001
【手続補正書】
【提出日】平成18年1月27日(2006.1.27)
【手続補正１】
【補正対象書類名】明細書
【補正対象項目名】００４７
【補正方法】変更
【補正の内容】
【００４７】
ロ−タリ−コンバ−タ２００の構造を図２に模式的に示すロ−タリ−コンバ−タ駆動モータ２１１の回転軸２１２には、スリップリング２０８ａ、整流子片２０８ｂ、２０９ｂ、スリップリング２０９ａからなる整流子２０７が設けられている。整流子２０７の斜視図を図３に示す。
【手続補正２】
【補正対象書類名】明細書
【補正対象項目名】００５０
【補正方法】変更
【補正の内容】
【００５０】
一対の整流子片２０９ｂ、２０８ｂの外周側の部分円筒面は、互いに１２０度離れて配置された交流側ブラシ２１５ａ、２１５ｂ、２１５ｃに摺接可能となっており、交流側ブラシ２１５ａ、２１５ｂ、２１５ｃは電機子相巻線１０１、１０２、１０３の各端子に接続されている。
【手続補正３】
【補正対象書類名】明細書
【補正対象項目名】００６４
【補正方法】変更
【補正の内容】
【００６４】
この実施例では、電機子相巻線１０１〜１０３と半導体スイッチング素子４０１〜４０６との間に電流制限用の電気抵抗６０１〜６０３が個別に介設されている。このようにすれば、半導体スイッチング素子４０１〜４０６のＰＷＭ制御なしに半導体スイッチング素子４０１〜４０６への通電電流を制限することができる。
【手続補正４】
【補正対象書類名】明細書
【補正対象項目名】００６８
【補正方法】変更
【補正の内容】
【００６８】
図３に示す実施例１の整流子２０７は、一対の整流子片２０８ｂ、２０９ｂを有していたが、この実施例の整流子２０７’は、２対の整流子片２０８ｂ、２０９ｂを用いている。整流子片２０８ｂと整流子片２０９ｂとは周方向互い違いに必要な周方向ギャップを挟んで配置される。このようにすれば、ロ−タリ−コンバ−タ駆動モータ２１１の回転数を半分にすることができる。
【手続補正５】
【補正対象書類名】明細書
【補正対象項目名】００７２
【補正方法】変更
【補正の内容】
【００７２】
交流側ブラシ２１５ａ、２１５ｂ、２１５ｃの位置で、整流子片２０８ｂ、２０９ｂは、回転軸２１２に嵌着、固定された樹脂筒２１２’の外周部に固定されている。
【手続補正６】
【補正対象書類名】明細書
【補正対象項目名】００７６
【補正方法】変更
【補正の内容】
【００７６】
このようにすれば、先端面が交流側ブラシ２１５ａ、２１５ｂ、２１５ｃに弾性付勢されている交流側ブラシ２１５ａ、２１５ｂ、２１５ｃは、整流子片２０８ｂ、２０９ｂから短距離で整流子片２０８ｂ、２０９ｂと同じく金属製で摩擦が小さいアイドル整流子片２１３上に乗り移ることができるため、交流側ブラシの平均摺動抵抗を低減し、かつ、長期使用後でも、整流子片と他の部分との段差を減らすことができ、交流側ブラシの摩耗も低減することができる。
【手続補正７】
【補正対象書類名】明細書
【補正対象項目名】００８０
【補正方法】変更
【補正の内容】
【００８０】
上記停止角度位置は、ロ−タリ−コンバ−タ駆動モ−タ２１１は交流側ブラシ２１５ａ、２１５ｂ、２１５ｃのうち、任意の２つが整流子片２０８ｂ、２０９ｂのうち任意の同一整流子片に接触しない停止位置とされる（図９参照）。
【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】
撮影レンズを備える撮影部が装置本体に対して移動可能に配置され、前記撮影部を移動させることによって前記撮影レンズを前記装置本体に収納させることを特徴とする撮影装置。
【請求項２】
前記撮影部の移動機構を回転機構とし、前記回転機構が、前記撮影部に配置され前記撮影レンズを所望の回転範囲に亘り回転可能とする係合部と、前記係合部に対応するよう前記装置本体に配置され前記係合部と係合することにより前記撮影部の回転を規制するストッパとを備えることを特徴とする請求項１に記載の撮影装置。
【請求項３】
前記撮影部と連結される操作手段を設け、前記操作手段を操作することにより前記撮影部を移動させることを特徴とする請求項１または２に記載の撮影装置ものであることを特徴とする請求項１に記載のユニット接続設定方法。
【請求項４】
前記撮影部の回転位置を検出する検出手段と、前記撮影部の回転位置に応じて、撮影モードへの移行および前記撮影モードの強制終了を制御する制御手段とを更に備えることを特徴とする請求項１乃至３のいずれか１項に記載の撮影装置。
【請求項５】
撮影レンズが露出または収納される撮影装置であって、前記撮影レンズを露出または収納する際に、前記撮影レンズを清掃する清掃手段を前記撮影レンズに対応するよう設けることを特徴とする撮影装置。
【手続補正２】
【補正対象書類名】明細書
【補正対象項目名】００１７
【補正方法】変更
【補正の内容】
【００１７】
本発明の請求項４では、前記撮影部の回転位置を検出する検出手段と、前記撮影部の回転位置に応じて、撮影モードへの移行および前記撮影モードの強制終了を制御する制御手段とを更に備えることを特徴とする。
【手続補正３】
【補正対象書類名】明細書
【補正対象項目名】００１８
【補正方法】変更
【補正の内容】
【００１８】
本発明の請求項４においては、検出手段が検出した撮影部の回転位置に応じて、制御手段が、撮影可能である撮影モードへと移行させたり、撮影モードを強制的に終了させる。即ち、本発明の請求項４によれば、撮影部の回転位置に応じて撮影モードの開始または終了が自動的に切り換わる構成としたので、使い勝手が良くなる。